(57)【要約】【課題】小型化と複数の機能の割り当てを両立できる電子機器を提供する。【解決手段】押圧検出部は、第１の方向からの押圧か、前記第１の方向とは逆の方向である第２の方向からの押圧かによって、極性が異なる押圧値を検出し、動作制御部は前記押圧値の極性に応じて異なる機能を実行する。これにより、第１の方向からの押圧か、前記第１の方向とは逆の方向である第２の方向からの押圧かによって、極性が異なる押圧値を検出する押圧検出部が検出した押圧値の極性に応じて異なる機能を実行する。【選択図】図２
2015049584.tif 000002
【特許請求の範囲】
【請求項１】
第１の方向からの押圧か、前記第１の方向とは逆の方向である第２の方向からの押圧かによって、極性が異なる押圧値を検出する押圧検出部と、
前記押圧値の極性に応じて異なる機能を実行する動作制御部と、
を備える電子機器。
【請求項２】
コンテンツを表示する表示部を備え、
前記動作制御部は、前記押圧検出部が検出した押圧値の極性に応じて、前記コンテンツに対して異なる機能を実行することを特徴とする請求項１に記載の電子機器。
【請求項３】
前記動作制御部は、前記押圧検出部が検出した押圧値の極性に応じて、前記コンテンツの表示の移動方向を制御することを特徴とする請求項２に記載の電子機器。
【請求項４】
前記動作制御部は、前記押圧検出部が検出した押圧値の絶対値に応じて、前記コンテンツの表示の移動速度を制御することを特徴とする請求項３に記載の電子機器。
【請求項５】
前記動作制御部は、前記押圧検出部が検出した押圧値の極性に応じて実行する機能に係る情報の出力態様を制御することを特徴とする請求項１から４のいずれかに記載の電子機器。
【発明の詳細な説明】
【技術分野】
【０００１】
本発明は、電子機器に関する。
【背景技術】
【０００２】
従来から、電子機器、例えば、多機能携帯電話機（いわゆるスマートフォンを含む）、タブレット端末装置、電子書籍閲覧装置、等には、ユーザによる操作入力を受け付けるデバイスを備えたものがある。操作入力を受け付けるデバイスには、例えば、複数の方向からの押圧操作が可能なジョグダイヤルがある。
【０００３】
例えば、特許文献１に記載の電子機器には、筺体の前面の上端部から上面を経て背面の上端部に亘って露出するようにジョグダイヤルが設けられている。当該ジョグダイヤルに対しては回転の他に前面、上面及び背面にそれぞれ垂直な方向からの押圧操作が可能になっている。各方向からの押圧操作に対しては、３ウェイのスイッチが作動し、その出力に対して別個又は同一の機能を割り当てることが可能である。
【先行技術文献】
【特許文献】
【０００４】
【特許文献１】特開２００８−２１０３１１号公報
【発明の概要】
【発明が解決しようとする課題】
【０００５】
しかしながら、特許文献１に記載の電子機器では、複数の方向への押圧操作を検出するために、それぞれの方向を検出するためのスイッチが方向毎に必要であった。これにより、部品の点数が増加する他、スイッチを配置し押圧を受け付ける空間を確保するため機器の小型化が妨げられる。
本発明は上記の点に鑑みてなされたものであり、本発明の目的は小型化と複数の機能の割り当てを両立できる電子機器を提供することにある。
【課題を解決するための手段】
【０００６】
本発明は上記の課題を解決するためになされたものであり、本発明の一態様は、第１の方向からの押圧か、前記第１の方向とは逆の方向である第２の方向からの押圧かによって、極性が異なる押圧値を検出する押圧検出部と、前記押圧値の極性に応じて異なる機能を実行する動作制御部とを備える電子機器である。
【発明の効果】
【０００７】
本発明によれば、小型化と複数の機能の割り当てを両立できる。
【図面の簡単な説明】
【０００８】
【図１】本発明の第１の実施形態に係る電子機器の外観を示す図である。
【図２】本実施形態に係る電子機器の内部構成を示す概略ブロック図である。
【図３】押圧センサが電圧を生じる原理を説明する図である。
【図４】本実施形態に係る動作制御部が制御する処理を示すフローチャートである。
【図５】画像の一表示例を示す図である。
【図６】画像の他の表示例を示す図である。
【図７】本発明の第２の実施形態に係る動作制御部が制御する処理を示すフローチャートである。
【図８】本発明の第３の実施形態に係る動作制御部が制御する処理を示すフローチャートである。
【発明を実施するための形態】
【０００９】
（第１の実施形態）
以下、図面を参照しながら本発明の第１の実施形態について説明する。
図１は、本実施形態に係る電子機器１の筐体１０５の外観を示す図である。
図１（ａ）、（ｂ）、（ｃ）は、電子機器１の筐体１０５の前面図、背面図、側面図をそれぞれ示す。図１において、Ｘ方向の矢印は電子機器１の幅の方向を示し、Ｙ方向は電子機器１の高さの方向を示し、Ｚ方向は電子機器１の厚さの方向を示す。つまり、Ｘ方向、Ｙ方向、Ｚ方向は、それぞれ図の紙面の右、下、表の各方向である。以下の説明では、Ｘ方向、Ｙ方向、Ｚ方向を、単に右、下、表、と呼ぶことがある。また、それぞれの逆方向を、左、上、裏、と呼ぶことがある。
【００１０】
電子機器１は、押圧センサ（押圧検出部）１０１、タッチパネル１０２及び筐体１０５を含んで構成される。電子機器１は、例えば、多機能携帯電話機（いわゆるスマートフォンを含む）、タブレット端末装置、電子書籍閲覧装置、等である。電子機器１は、例えば、
インターネットに接続してウェブサーバから受信した画像信号に基づく画像を表示する機能を有するものであってもよい。また、電子機器１は、公衆無線通信網（ＰＬＭＮ：Ｐｕｂｌｉｃ  Ｌａｎｄ  Ｍｏｂｉｌｅ  Ｎｅｔｗｏｒｋ）を介して、通信相手の相手側装置と接続を確立し、相手側装置との間で、音声信号、画像信号又はその両者を送信及び受信する機能を有するものであってもよい。
【００１１】
電子機器１の大きさは、ユーザが携帯可能であれば、いかなる大きさであってもよい。一例として、電子機器１は、概ね人間の片手で把持できる程度の大きさを有する。その場合、電子機器１は、例えば、幅５５〜８５ｍｍ、高さ１００〜１６０ｍｍ、厚さ５ｍｍ〜２０ｍｍの範囲のいずれかの寸法を有する。
図１に示す電子機器１は、一辺の長さ（高さ）が他の一辺の長さ（幅）よりも大きい縦長の長方形の形状を有するが、本発明の実施形態はこれに限られない。電子機器１は、幅が高さよりも広い横長の長方形の形状を有していてもよい。
【００１２】
押圧センサ１０１は、表面又は裏面に加えられた押圧に応じて、その両面間に生じた電圧を押圧値として生じる素子である。押圧の方向が表面から裏へ向かう方向か、裏面から表に向かう方向かによって押圧値の極性が異なる。例えば、裏へ向かう方向、表に向かう方向の場合には、それぞれ負、正の押圧値が得られる。また、加えられた押圧が大きくなるほど発生する押圧値が大きくなる。押圧センサ１０１は、例えば、ニオブ酸リチウム、チタン酸リチウム等の圧電材料からなるバイモルフアクチュエータである。押圧センサ１０１は、電子機器１の裏面上部から電子機器１の上側面に湾曲するように、筐体１０５の表面に沿って配置されている。この湾曲によって、電子機器１の表面上部に加えられた裏に向かう押圧は、押圧センサ１０１の裏面に集中するように伝えられ、押圧センサ１０１は裏に向かう押圧に応じた押圧値を生じる。なお、表に向かう押圧、裏に向かう押圧とは、厳密にＺ方向に向かう押圧、Ｚ方向と逆の方向に向かう押圧に限られず、それらの押圧がＺ方向への成分、又はＺ方向と逆の方向への成分を含んでいればよい。押圧センサ１０１は、生じた押圧値を示す押圧信号を制御部１１０（後述）に出力する。押圧センサ１０１が電圧を生じる原理については後述する。
【００１３】
タッチパネル１０２は、電子機器１の前面の表面の大部分を覆い、タッチセンサ１０３と表示部１０４とを含んで構成される（図２参照）。タッチセンサ１０３は、操作物（例えば、ユーザの指）が接触した位置を検知し、検知した位置を示す位置情報を生成し、生成した位置情報を電子機器１の制御部１１０（後述）に出力する。タッチセンサ１０３は、例えば、静電容量センサを含んで構成される。表示部１０４は、制御部１１０（後述）から入力された画像信号に応じた画像を表示する。表示部１０４は、例えば、液晶表示パネル、有機ＥＬ（ｅｌｅｃｔｒｏｌｕｍｉｎｅｓｃｅｎｃｅ）表示パネルである。表示部１０４が画像を表示する領域と、タッチセンサ１０３が位置を検出する領域の大部分は重畳している。
筐体１０５は、電子機器１の後述する各構成を内部に収容し、また押圧センサ１０１及びタッチパネル１０２の位置を固定する。
【００１４】
（電子機器の内部構成）
次に、本実施形態に係る電子機器１の内部構成について説明する。
図２は、本実施形態に係る電子機器１の内部構成を示す概略ブロック図である。
電子機器１は、押圧センサ１０１、タッチパネル１０２、制御部１１０、レシーバ１２１、及びスピーカ１２２を含んで構成される。制御部１１０は、押圧信号処理部１１１、押圧判定部１１２、動作制御部１１３、位置情報処理部１１４、及び表示制御部１１５を含んで構成される。
【００１５】
押圧信号処理部１１１は、押圧センサ１０１から入力された押圧信号（電気信号）を予め定めた時間間隔（例えば、２０ｍｓ）毎にサンプリングする。押圧信号処理部１１１は、サンプリングした押圧信号についてフィルタリング処理（例えば、平滑化）を行って押圧信号に混入したノイズを除去する。押圧信号処理部１１１は、フィルタリング処理を行った押圧信号を押圧判定部１１２に出力する。
押圧判定部１１２は、押圧信号処理部１１１から入力された押圧信号が示す押圧値が第１の閾値以上か否か、ならびに第２の閾値以下か否かを判定する。第１の閾値は、予め定めた正の値である。第２の閾値は予め定めた負の値である。これにより、押圧値が正の値、負の値、又は０に近似する値かが判定される。これらの閾値を設けることで、押圧信号のノイズや、押圧センサ１０１のヒステリシス特性の影響を抑えることができる。
【００１６】
押圧判定部１１２は、押圧値が第１の閾値以上、第２の閾値以下、又はそれ以外の０に近似する値かを示す押圧判定信号を生成し、生成した押圧判定信号と入力された押圧信号を対応付けて動作制御部１１３に出力する。
なお、第２の閾値の絶対値は、第１の閾値の絶対値と等しくてもよいし、等しくなくてもよい。例えば、第２の閾値の絶対値は、第１の閾値の絶対値よりも小さくてもよい。これにより、表面に加えられた押圧によって押圧センサ１０１に伝えられる押圧力が、裏面に加えられた押圧によって伝えられる押圧力よりも小さい場合でも、押圧値の正負つまり極性を的確に判定することができる。
【００１７】
動作制御部１１３は、電子機器１の機能を発揮する処理を実行する。電子機器１の機能には様々な機能があるが、その１つは、例えば、インターネットから受信した画像信号を表示制御部１１５に出力して、表示部１０４にその画像信号に係る画像を表示させることである。また、そのような機能には、位置情報処理部１１４から入力された位置情報が示す位置で指定されたアプリケーションソフトウェアを起動すること、等がある。また、動作制御部１１３は、実行している処理によっては音声信号を取得することがある。動作制御部１１３は、取得した音声信号をレシーバ１２１又はスピーカ１２２に出力する。
動作制御部１１３は、押圧判定部１１２から入力された押圧判定信号に基づいて、電子機器１の種々の動作を制御する。押圧判定信号が正の値を示す場合、動作制御部１１３は、第１の機能を実行する。押圧判定信号が負の値を示す場合、動作制御部１１３は、第１の機能とは別個の第２の機能を実行する。動作制御部１１３が制御する機能の例については、後述する。
【００１８】
位置情報処理部１１４は、タッチセンサ１０３から入力された位置情報（電気信号）を予め定めた時間間隔（例えば、２０ｍｓ）毎にサンプリングする。位置情報処理部１１４は、サンプリングした位置情報についてフィルタリング処理（例えば、平滑化）を行って位置情報に混入したノイズを除去する。位置情報処理部１１４は、フィルタリング処理を行った位置情報を動作制御部１１３に出力する。
表示制御部１１５は、動作制御部１１３から画像信号が入力され、入力された画像信号のうち、表示部が画像を表示する表示領域に含まれるものを抽出する。表示制御部１１５は、抽出した画像信号を表示部１０４に出力して画像を表示させる。また、表示制御部１１５は、動作制御部１１３の制御に応じて画像の表示、例えば、画像の表示位置を制御する。
【００１９】
レシーバ１２１は、電子機器１の表面上部に設置され、動作制御部１１３から入力された音声信号に基づく音声を再生する。再生される音声の音量は、ユーザの耳がレシーバ１２１に接触しているときに、正常な聴力を有するユーザが聴取できる程度である。これにより受話系が構成される。
スピーカ１２２は、電子機器１の背面に設置され、動作制御部１１３から入力された音声信号に基づく音声を再生する。再生される音声の音量は、ユーザがスピーカ１２２から所定の距離（例えば、１ｍ）離れていても、正常な聴力を有するユーザが聴取できる程度である。これにより拡声系が構成される。
【００２０】
（押圧センサ１０１が電圧を生じる原理）
次に、押圧センサ１０１が電圧を生じる原理について説明する。
図３は、押圧センサ１０１が電圧を生じる原理を説明する図である。押圧センサ１０１は、厚み方向に分極された２枚の長方形の板状の圧電素子３１及び３２が金属片３３を介して張り合わされた構造をしているバイモルフである。
【００２１】
図３（ａ）は、押圧センサ１０１の下方から押圧力が加えられていることを示す。これにより、押圧センサ１０１は下に凸になるようにたわむことで上面の圧電素子３１が縮み、下面の圧電素子３２が伸びる。このとき、上面の圧電素子３１に正の電圧が生じ、下面の圧電素子３２に負の電圧が生じる。下面の電圧を基準電圧とすると押圧センサ１０１の上面には正の電圧が生じる。なお、加えられた押圧力が大きくなるほど、押圧センサ１０１が大きく変形するため発生する正の電圧が高くなる。
【００２２】
図３（ｂ）は、押圧センサ１０１の上方から押圧力が加えられていることを示す。これにより、押圧センサ１０１は上に凸になるようにたわむことで上面の圧電素子３１が伸び、下面の圧電素子３２が縮む。このとき、上面の圧電素子３１に負の電圧が生じ、下面の圧電素子３２に正の電圧が生じる。下面の圧電素子３２の電圧を基準電圧とすると押圧センサ１０１の上面の圧電素子３１には負の電圧が生じる。なお、加えられた押圧力が大きくなるほど、押圧センサ１０１が大きく変形するため発生する負の電圧が低くなる。つまり、発生する電圧の絶対値が大きくなる。
【００２３】
（動作制御部１１３が制御する機能の一例）
次に、動作制御部１１３が制御する機能の一例について説明する。この例では、動作制御部１１３は、表示制御部１１５を制御して、複数のリスト項目が予め定めた方向に配列されたリスト画像を表示部１０４に表示させる。動作制御部１１３は、複数のリスト項目のうちのいずれか１つのリスト項目を選択されたリスト項目として表示させる。そして、動作制御部１１３は、選択されたリスト項目を変更させるか、選択されたリスト項目の選択を確定するかを制御する。この例では、表示制御部１１５は、リスト項目を巡回的に表示させてもよい。巡回的に表示させるとは、有限個のリスト項目を予め定めた順序で表示させる際、末尾のリスト項目の直後に先頭のリスト項目を隣接させ、以降のリスト項目を順次表示させることをいう。
【００２４】
リスト画像は、例えば、動作制御部１１３がインターネットに接続されたウェブサイトから受信したものであってもよいし、動作制御部１１３がプログラムの実行中に生成されたものでもよいし、予め記憶されたものであってもよい。
【００２５】
図４は、本実施形態に係る動作制御部１１３が制御する処理を示すフローチャートである。このフローチャートに係る処理を行う前に、動作制御部１１３は、例えば、ユーザの操作に応じて位置情報処理部１１４から入力された位置情報で指定されたリスト画像を表示部１０４に表示させる。動作制御部１１３は、表示させたリスト画像のうち、いずれか１つのリスト項目を選択されたリスト項目として表示させる。ここで、動作制御部１１３は、選択されたリスト項目を、その他のリスト項目とは異なる態様（例えば、背景の色彩、明度、文字の大きさ、字体、等）で表示させる。当初（デフォルト）選択されたリスト項目は、例えば、先頭のリスト項目である。
【００２６】
（ステップＳ１０１）動作制御部１１３は、押圧判定部１１２から入力された押圧判定信号が、押圧値が第１の閾値以上であることを示すか否かを判定する。第１の閾値以上と判定された場合には（ステップＳ１０１  ＹＥＳ）、ステップＳ１０２に進む。第１の閾値以上ではないと判定された場合には（ステップＳ１０１  ＮＯ）、ステップＳ１０３に進む。
（ステップＳ１０２）動作制御部１１３は、選択されたリスト項目の選択を確定する。動作制御部１１３は、選択が確定されたリスト項目について他のリスト項目とも単純に選択されたリスト項目とも異なる態様で表示させる。動作制御部１１３は、選択が確定されたリスト項目に係る処理、例えば、そのリスト項目とリンクしたテキストや画像を表示させてもよい。その後、ステップＳ１０１に進む。
【００２７】
（ステップＳ１０３）動作制御部１１３は、押圧判定部１１２から入力された押圧判定信号が、押圧値が第２の閾値以下であることを示すか否かを判定する。第２の閾値以下と判定された場合には（ステップＳ１０３  ＹＥＳ）、ステップＳ１０４に進む。第２の閾値以下ではないと判定された場合には（ステップＳ１０３  ＮＯ）、ステップＳ１０１に進む。
（ステップＳ１０４）動作制御部１１３は、選択されたリスト項目を予め定めた方向（例えば、リスト項目が配列されている方向（下方））に隣接しているリスト項目に変更する。その際、動作制御部１１３は、元のリスト項目を他のリスト項目と同様な態様で表示させ、新たに選択されたリスト項目を他のリスト項目とは異なる態様で表示させる。その後、ステップＳ１０５に進む。
【００２８】
（ステップＳ１０５）動作制御部１１３は、押圧判定部１１２から入力された押圧判定信号が、押圧値が第２の閾値よりも大きいことを示すか否かを判定する。第２の閾値よりも大きいと判定された場合には（ステップＳ１０５  ＹＥＳ）、ステップＳ１０６に進む。第２の閾値よりも大きくないと判定された場合には（ステップＳ１０５  ＮＯ）、ステップＳ１０４に進む。
（ステップＳ１０６）動作制御部１１３は、選択されたリスト項目の変更を停止する。その後、ステップＳ１０１に進む。
【００２９】
なお、選択されたリスト項目が、表示部１０４の下端に表示されたリスト項目に達した後、動作制御部１１３は、ステップＳ１０４において、その次のリスト項目の全体が表示される位置にリスト画像全体を上方にスクロールしてもよい。スクロールとは、操作に応じて画像が表示される位置を移動させることである。その次のリスト項目の全体が表示される位置は、例えば、その次のリスト項目の下端のＹ座標が、表示部１０４の下端のＹ座標となる位置である。そして、動作制御部１１３は、その次のリスト項目を選択されたリスト項目として他のリスト項目とは異なる態様で表示させる。
【００３０】
（表示例）
次に、図４に示す処理によって表示される画像の表示例について説明する。
図５は、画像の一表示例を示す図である。
図５（ｂ）は、表示部１０４に表示されているリスト画像の例を示す表面図である。「１．あああ」等の文字を含む横長の長方形の領域のそれぞれがリスト項目である。リスト項目のうち、網掛けで表示されているリスト項目が選択されたリスト項目である。図５（ａ）は、ユーザが電子機器１の裏面上部を押下することによって押圧力が電子機器１の表面から裏に向かって加えられていることを示す側面図である。図５（ａ）、（ｂ）に示す○印は、押下されている位置を示す。このとき、押圧センサ１０１は、負の押圧値を生じ、ステップＳ１０３（図４）で押圧値が第２の閾値以下であると判定される。そのため、ステップＳ１０４（図４）が実行されて選択されたリスト画像が下方に隣接するリスト画像に変更される。
図５（ｃ）は、選択されたリスト画像が変更されたことを示す表面図である。その後、ユーザが押下を解除すると、ステップＳ１０５（図４）で押圧値が第２の閾値より大きいと判定されるので、選択されたリスト画像の変更が停止される。
【００３１】
図６は、画像の他の表示例を示す図である。
図６（ｂ）は、表示部１０４に表示されているリスト画像の他の例を示す表面図である。図６（ａ）は、ユーザが電子機器１の表面上部を押下することによって押圧力が電子機器１の裏面から表に向かって加えられていることを示す側面図である。図６（ａ）に示す○印は、押下されている位置を示す。図６（ｂ）に示す破線の○印は、押下されている位置が裏面であることを示す。網掛けで表示されているリスト項目が選択されたリスト項目である。このとき、押圧センサ１０１は、正の押圧値を生じ、ステップＳ１０１（図４）で押圧値が第１の閾値以上であると判定される。そのため、ステップＳ１０２（図４）が実行されて、リスト項目の選択が確定する。
【００３２】
図６（ｃ）は、リスト項目の選択が確定したことを示す表面図である。選択が確定したリスト項目は、濃く塗りつぶされ、文字が白色で表示されているリスト項目である。この例では、選択されたリスト項目の変更が行われないため、その他のリスト項目の表示態様は図６（ｂ）と同様である。
【００３３】
このように、本実施形態では、第１の方向からの押圧か、前記第１の方向とは逆の方向である第２の方向からの押圧かによって極性が異なる押圧値を検出し、押圧値の極性に応じて異なる機能、例えば、表示する画像について異なる処理を実行する。
これにより、１つの押圧検出部で押圧方向によって異なる極性を有する押圧値が検出され、それぞれ異なる機能を実現することができる。そのため、小型化と異なる機能の割り当てを両立することができる。
【００３４】
（第２の実施形態）
次に、本発明の第２の実施形態について説明する。上述した実施形態と同一の構成については、同一の符号を付して説明を援用する。
本実施形態に係る電子機器１ａのハードウェアの構成は、電子機器１（図２）と同様である。ここで、動作制御部１１３は、取得したリスト画像を表示部１０４に表示させ、押圧判定部１１２から押圧判定信号が入力されたことに応じてリスト画像をスクロールする。動作制御部１１３は、表示部１０４に表示させたリスト画像をスクロールする際、押圧センサ１０１が負の押圧値を生じているか正の押圧値を生じているかによって、リスト画像をある方向に移動させるか、その方向とは逆の方向に移動させるかを制御する。この例では、表示制御部１１５は、図４に示す例と同様にリスト画像に含まれるリスト項目を巡回的に表示させてもよいが、必ずしも巡回的に表示させなくてもよい。
【００３５】
図７は、本実施形態に係る動作制御部１１３が制御する処理を示すフローチャートである。
（ステップＳ２０１）動作制御部１１３は、押圧判定部１１２から入力された押圧判定信号が、押圧値が第２の閾値以下であることを示すか否かを判定する。第２の閾値以下と判定された場合には（ステップＳ２０１  ＹＥＳ）、ステップＳ２０５に進む。第２の閾値以下ではないと判定された場合には（ステップＳ２０１  ＮＯ）、ステップＳ２０２に進む。
（ステップＳ２０２）動作制御部１１３は、押圧判定部１１２から入力された押圧判定信号が、押圧値が第１の閾値以上であることを示すか否かを判定する。第１の閾値以上と判定された場合には（ステップＳ２０２  ＹＥＳ）、ステップＳ２０３に進む。第１の閾値以上ではないと判定された場合には（ステップＳ２０２  ＮＯ）、ステップＳ２０１に進む。
【００３６】
（ステップＳ２０３）動作制御部１１３は、表示させているリスト項目を予め定めた第１の方向（例えば、リスト項目が配列されている方向（下方））に予め定めた速度でスクロールする。その後、ステップＳ２０４に進む。
（ステップＳ２０４）動作制御部１１３は、押圧判定部１１２から入力された押圧判定信号が、押圧値が第１の閾値よりも小さいことを示すか否かを判定する。第１の閾値よりも小さいと判定された場合には（ステップＳ２０４  ＹＥＳ）、ステップＳ２０７に進む。第１の閾値より小さくないと判定された場合には（ステップＳ２０４  ＮＯ）、ステップＳ２０３に進む。
【００３７】
（ステップＳ２０５）動作制御部１１３は、表示させているリスト項目を予め定めた第２の方向（例えば、第１の方向とは逆の方向（上方））に予め定めた速度でスクロールする。その後、ステップＳ２０６に進む。
（ステップＳ２０６）動作制御部１１３は、押圧判定部１１２から入力された押圧判定信号が、押圧値が第２の閾値よりも大きいことを示すか否かを判定する。第２の閾値よりも大きいと判定された場合には（ステップＳ２０６  ＹＥＳ）、ステップＳ２０７に進む。第２の閾値より大きくないと判定された場合には（ステップＳ２０６  ＮＯ）、ステップＳ２０５に進む。
【００３８】
なお、上述では、動作制御部１１３が、押圧センサ１０１が負の押圧値を生じているか正の押圧値を生じているかによって、リスト画像をスクロールする方向を制御する場合を例にとって説明したが、これには限られない。動作制御部１１３は、押圧センサ１０１が負の押圧値を生じているか正の押圧値を生じているかによって、選択されたリスト項目を変更する方向を制御してもよい。ここで、動作制御部１１３は、ステップＳ２０３において、選択されたリスト項目を下方に隣接する方向に変更する。また、動作制御部１１３は、ステップＳ２０５において、選択されたリスト項目を上方に隣接する方向に変更する。
【００３９】
このように、本実施形態では、第１の方向からの押圧か、前記第１の方向とは逆の方向である第２の方向からの押圧かによって極性が異なる押圧値を検出し、押圧値の極性に応じてコンテンツの表示の移動方向を制御する。
これにより、検出された押圧値の極性により、コンテンツの表示の移動方向を変更できるので、押圧方向に応じて表示されたコンテンツの移動方向を容易に変更できるようになる。
【００４０】
（第３の実施形態）
次に、本発明の第３の実施形態について説明する。上述した実施形態と同一の構成については、同一の符号を付して説明を援用する。本実施形態に係る電子機器１ｂのハードウェアの構成は、電子機器１（図２）と同様である。本実施形態では、動作制御部１１３（図２）は、実行する機能に係る情報（例えば、音声信号）の出力態様（例えば、出力先）を押圧センサ１０１が負の押圧値を生じているか正の押圧値を生じているかによって制御する。
【００４１】
動作制御部１１３は、所定の機能として、例えば、通信相手の相手側装置との間で接続を確立し、相手側装置から音声信号を受信する。動作制御部１１３は、押圧センサ１０１が負の押圧値を生じているか正の押圧値を生じているかによって、受信した音声信号をレシーバ１２１に出力するか、スピーカ１２２に出力するかを制御する。
【００４２】
図８は、本実施形態に係る動作制御部１１３が制御する処理を示すフローチャートである。
（ステップＳ３０１）動作制御部１１３は、相手先装置との間で接続が確立され、相手先装置から音声信号を受信しているか（着信中）否かを判定する。音声信号を受信していると判定された場合（ステップＳ３０１  ＹＥＳ）ステップＳ３０２に進む。動作制御部１１３は、音声信号を受信していないと判定された場合（ステップＳ３０１  ＮＯ）ステップＳ３０１を繰り返す。
【００４３】
（ステップＳ３０２）動作制御部１１３は、押圧判定部１１２から入力された押圧判定信号が、押圧値が第１の閾値以上であることを示すか否かを判定する。第１の閾値以上と判定された場合には（ステップＳ３０２  ＹＥＳ）、ステップＳ３０５に進む。第１の閾値以上ではないと判定された場合には（ステップＳ３０２  ＮＯ）、ステップＳ３０３に進む。
（ステップＳ３０３）動作制御部１１３は、押圧判定部１１２から入力された押圧判定信号が、押圧値が第２の閾値以下であることを示すか否かを判定する。第２の閾値以下と判定された場合には（ステップＳ３０３  ＹＥＳ）、ステップＳ３０４に進む。第２の閾値以下ではないと判定された場合には（ステップＳ３０３  ＮＯ）、ステップＳ３０１に進む。
【００４４】
（ステップＳ３０４）動作制御部１１３は、受信した音声信号をスピーカ１２２に出力する。これにより、スピーカ１２２により音声が再生される。その後、図９に示す処理を終了する。
（ステップＳ３０５）動作制御部１１３は、受信した音声信号をレシーバ１２１に出力する。これにより、レシーバ１２１により音声が再生される。その後、図９に示す処理を終了する。
【００４５】
上述した例では、動作制御部１１３は、出力態様として音声信号をレシーバ１２１に出力するか、スピーカ１２２に出力するかを制御しているが、これには限られない。動作制御部１１３は、音声信号をレシーバ１２１、スピーカ１２２のいずれかもしくは両者に出力するか、記憶部（図示せず）に記憶させるか（録音）を制御してもよい。また、処理の対象とする情報は音声信号に限られず、他の形態の情報、例えば、画像信号であってもよい。
【００４６】
このように、本実施形態では、第１の方向からの押圧か、前記第１の方向とは逆の方向である第２の方向からの押圧かによって極性が異なる押圧値を検出し、押圧値の極性に応じて実行する機能に係る情報の出力態様を制御する。
これにより、押圧方向に応じて、情報の出力態様を変更できるので、ユーザは簡単な操作により所望の態様での出力を得ることができる。
【００４７】
なお、上述した第１の実施形態において、動作制御部１１３は、押圧センサ１０１が検出した押圧値の絶対値に応じて、選択されているリスト項目を変更する変更速度を制御してもよい。また、第２の実施形態において、動作制御部１１３は、押圧センサ１０１が検出した押圧値の絶対値に応じて、表示部１０４に表示させている画像の移動速度を制御してもよい。
例えば、動作制御部１１３は、変更速度もしくは移動速度を押圧値の絶対値に比例するように定めることで、押圧値が大きくなるほど変更速度もしくは移動速度が高くなるように制御できる。これにより、押圧センサ１０１に加えられた押圧力に応じて変更速度もしくは移動速度が変化するので、ユーザは簡単な操作により所望の項目を発見することができる。その場合、動作制御部１１３は、予め定めた移動速度の上限を超えないように、画像の移動速度を定めてもよい。
【００４８】
上述した実施形態では、画像の移動方向が押圧値の極性により、上方か下方のいずれかに制御する場合を例にとって説明したが、これには限られない。画像の移動方向は、押圧値の極性により、左方か右方のいずれかに制御されてもよい。ここで、複数のリスト項目が配列されたリスト画像をスクロールする場合には、移動方向はリスト項目が配列されている方向に垂直であればよい。例えば、リスト項目が水平方向に配列されている場合には、制御される移動方向は、左方か右方のいずれかである。
また、上述の説明では、コンテンツがリスト画像である場合を例にとったが、これには限られない。コンテンツは、その他の画像であってもよいし、テキスト、ブラウザに表示されるウェブページ、ボタン等の画面部品、又はこれらの組み合わせであってもよい。
【００４９】
また、上述した実施形態では、押圧センサ１０１が電子機器１の裏面上部から側面上部にわたって設置されている場合を例にとって説明したが、これには限られない。押圧センサ１０１の配置は、ユーザが操作した電子機器１の外面（例えば、表面又は裏面）によって異なる方向の押圧力を受け付け、その方向の違いに応じて互いに極性の異なる電圧を押圧値として発生することができればよい。
【００５０】
例えば、押圧センサ１０１は、電子機器１の裏面下部から側面下部にわたって設置されてもよく、裏面右方から側面右方にわたって設置されてもよく、裏面左方から側面左方にわたって設置されてもよい。また、押圧センサ１０１は、電子機器１の表面上部から側面上部に設置されてもよく、表面下部から側面下部にわたって設置されてもよく、表面右方から側面右方にわたって設置されてもよく、表面左方から側面左方にわたって設置されてもよい。また、押圧センサ１０１の形状は、必ずしも湾曲した形状を有していなくてもよく、例えば、平板状の形状を有していてもよい。
【００５１】
上述した実施形態では、動作制御部１１３は複数の処理を行うことができる。動作制御部１１３は、その複数の処理のうち一部の処理のそれぞれについて、押圧値の極性に応じて異なる機能を実行してもよい。残りの処理のそれぞれについては、動作制御部１１３は押圧値の極性にかかわらず同一の機能を実行してもよい。例えば、動作制御部１１３は、押圧値の極性に応じて表示させる画像の移動方向を制御する場合（図７参照）、動作制御部１１３は、押圧値の極性にかかわらず音声信号の出力先がいずれもレシーバ１２１であってもよい（図８参照）。
【００５２】
なお、上述した実施形態は、次の態様でも実施することができる。
（１）第１の方向からの押圧か、前記第１の方向とは逆の方向である第２の方向からの押圧かによって、極性が異なる押圧値を検出する押圧検出部と、前記押圧値の極性に応じて異なる機能を実行する動作制御部と、を備える電子機器。
（２）（１）の電子機器であって、コンテンツを表示する表示部を備え、前記動作制御部は、前記押圧検出部が検出した押圧値の極性に応じて、前記コンテンツに対して異なる機能を実行することを特徴とする。
（３）（２）の電子機器であって、前記動作制御部は、前記押圧検出部が検出した押圧値の極性に応じて、前記コンテンツの表示の移動方向を制御することを特徴とする。  
（４）（３）の電子機器であって、前記動作制御部は、前記押圧検出部が検出した押圧値の絶対値に応じて、前記コンテンツの表示の移動速度を制御することを特徴とする。
（５）（１）から（４）のいずれかの電子機器であって、前記動作制御部は、前記押圧検出部が検出した押圧値の極性に応じて実行する機能に係る情報の出力態様を制御することを特徴とする。
【００５３】
（６）電子機器における制御方法において、第１の方向からの押圧か、前記第１の方向とは逆の方向である第２の方向からの押圧かによって、極性が異なる押圧値を検出する押圧検出部が検出した押圧値の極性に応じて異なる機能を実行する動作制御過程を有する制御方法。
（７）電子機器のコンピュータに、第１の方向からの押圧か、前記第１の方向とは逆の方向である第２の方向からの押圧かによって、極性が異なる押圧値を検出する押圧検出部が検出した押圧値の極性に応じて異なる機能を実行する動作制御手順を実行させるための制御プログラム。
【００５４】
なお、上述した実施形態における電子機器１、１ａ、及び１ｂの一部、例えば、押圧信号処理部１１１、押圧判定部１１２、動作制御部１１３、位置情報処理部１１４、及び表示制御部１１５をコンピュータで実現するようにしてもよい。その場合、この制御機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、電子機器１、１ａ、１ｂのいずれかに内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよい。
また、上述した実施形態における電子機器１、１ａ、又は１ｂの一部、または全部を、ＬＳＩ（Ｌａｒｇｅ  Ｓｃａｌｅ  Ｉｎｔｅｇｒａｔｉｏｎ）等の集積回路として実現してもよい。電子機器１、１ａ、及び１ｂの各機能ブロックは個別にプロセッサ化してもよいし、一部、または全部を集積してプロセッサ化してもよい。また、集積回路化の手法はＬＳＩに限らず専用回路、または汎用プロセッサで実現してもよい。また、半導体技術の進歩によりＬＳＩに代替する集積回路化の技術が出現した場合、当該技術による集積回路を用いてもよい。
【００５５】
以上、図面を参照してこの発明の一実施形態について詳しく説明してきたが、具体的な構成は上述のものに限られることはなく、この発明の要旨を逸脱しない範囲内において様々な設計変更等をすることが可能である。
【符号の説明】
【００５６】
１、１ａ、１ｂ…電子機器、
１０１…押圧センサ、１０２…タッチパネル、１０３…タッチセンサ、１０４…表示部、
１１０…制御部、１１１…押圧信号処理部、１１２…押圧判定部、１１３…動作制御部、１１４…位置情報処理部、１１５…表示制御部、１２１…レシーバ、１２２…スピーカ
【図１】
2015049584.tif 000003
【図２】
2015049584.tif 000004
【図３】
2015049584.tif 000005
【図４】
2015049584.tif 000006
【図５】
2015049584.tif 000007
【図６】
2015049584.tif 000008
【図７】
2015049584.tif 000009
【図８】
2015049584.tif 000010